(57)【要約】      （修正有）【課題】ローラブル（ｒｏｌｌａｂｌｅ）表示装置を提供する。【解決手段】本発明の表示装置は、複数のサブ画素が定義された表示パネル１２０と、表示パネルと共に巻取り可能に構成されるバックカバー１１０と、バックカバーを支持するようにバックカバーの一面の一部に配置されるベースプレート１７０と、ベースプレートとの間にバックカバーが介在するように、バックカバーの他面の一部に配置され、バックカバーに固定されるトップカバー１８０とを含み、トップカバーは、曲面状の外周面を有しうる。【選択図】図８ａ
2020046664.tif 000002
【特許請求の範囲】
【請求項１】
複数のサブ画素が定義された表示パネルと、
前記表示パネルと共に巻取り可能に構成されるバックカバーと、
前記バックカバーを支持するように前記バックカバーの一面の一部に配置されるベースプレートと、
前記ベースプレートとの間に前記バックカバーが介在するように、前記バックカバーの他面の一部に配置され、前記バックカバーに固定されるトップカバーとを含み、
前記トップカバーは、曲面状の外周面を有する、表示装置。
【請求項２】
前記バックカバーの複数の固定孔を通過して、前記ベースプレートと前記トップカバーを固定する複数の固定部材をさらに含む、請求項１に記載の表示装置。
【請求項３】
前記複数の固定部材は、
前記ベースプレートの複数の結合孔を貫通するように配置された複数の第１固定部材と、
前記トップカバーの複数の結合孔を貫通して前記複数の第１固定部材と締結される複数の第２固定部材とを含む、請求項２に記載の表示装置。
【請求項４】
前記バックカバーと前記トップカバーとの間に介在するボトムカバーをさらに含む、請求項１に記載の表示装置。
【請求項５】
前記ベースプレートは、前記トップカバーに向かって突き出した複数の固定突起を有し、
前記複数の固定突起は、前記ボトムカバーを貫通するように構成され、
前記ベースプレートは、前記トップカバーと前記複数の固定突起間の固定によって前記トップカバーに固定されるように構成される、請求項４に記載の表示装置。
【請求項６】
前記ボトムカバーと前記トップカバーとの間に介在し、前記表示パネルと連結された複数のフレキシブルフィルムと、
前記ボトムカバーと前記トップカバーとの間に介在し、前記複数のフレキシブルフィルムと連結された印刷回路基板とをさらに含み、
前記ボトムカバーは、前記複数のフレキシブルフィルムを固定するための複数の突出部及び前記印刷回路基板を固定するためのガイド部を含む、請求項５に記載の表示装置。
【請求項７】
前記複数のフレキシブルフィルムは、前記トップカバーに向かって凸状を有するように配置される、請求項６に記載の表示装置。
【請求項８】
前記トップカバーの一面に配置され、前記表示パネルを固定するパッドをさらに含む、請求項６に記載の表示装置。
【請求項９】
前記トップカバーの複数の結合孔を貫通して、前記複数の固定突起と締結される固定部材をさらに含む、請求項５に記載の表示装置。
【請求項１０】
前記バックカバーは、第１バックカバーと第２バックカバーで構成され、
前記第１バックカバーと前記第２バックカバーは、前記ベースプレート及び前記トップカバーによって固定される、請求項１に記載の表示装置。
【請求項１１】
前記第２バックカバーと締結されるローラと、
前記第１バックカバーと締結されるヘッドバーとをさらに含み、
前記第２バックカバーの厚さは前記第１バックカバーの厚さより薄い、請求項１０に記載の表示装置。
【請求項１２】
前記バックカバーは、
前記ベースプレートと前記トップカバーによって固定される固定領域と、
前記固定領域から延長し、複数の開口部が配置された延性領域と、
前記延性領域から延長する支持領域とを含み、
前記延性領域は、
前記固定領域の上側から延長する第１延性領域と、
前記固定領域の下側から延長する第２延性領域とを含み、
前記支持領域は、
前記第１延性領域の上側から延長する第１支持領域と、
前記第２延性領域の下側から延長する第２支持領域とを含む、請求項１に記載の表示装置。
【請求項１３】
前記第２支持領域と締結され、平面部及び曲面部を含むローラをさらに含み、
前記固定領域は、前記平面部に対応するように配置される、請求項１２に記載の表示装置。
【請求項１４】
映像を表示するための表示パネルと、
前記表示パネルの下に配置され、複数の固定孔が配置された固定領域を含むバックカバーと、
前記表示パネルと電気的に連結され、前記固定領域に配置された印刷回路基板と、
前記固定領域の下に配置されたベースプレートと、
前記固定領域上で前記印刷回路基板上に配置されたトップカバーとを含み、
前記ベースプレート及び前記トップカバーは、前記複数の固定孔に対応するように配置されて、前記バックカバーと結合する、表示装置。
【請求項１５】
前記ベースプレート及び前記トップカバーに配置された複数の結合孔及び前記複数の固定孔を貫通するように介在し、前記ベースプレート、前記バックカバー及び前記トップカバーを固定する複数の固定部材をさらに含む、請求項１４に記載の表示装置。
【請求項１６】
前記トップカバーに配置された複数の結合孔及び前記ベースプレートに配置された複数の固定突起を貫通して、前記ベースプレート、前記バックカバー及び前記トップカバーを固定する複数の固定部材をさらに含む、請求項１４に記載の表示装置。
【請求項１７】
前記バックカバーと前記トップカバーとの間に介在するボトムカバーをさらに含み、
前記ボトムカバーは、前記複数の固定突起が貫通できる複数の貫通孔を含む、請求項１６に記載の表示装置。
【請求項１８】
前記表示パネルと前記印刷回路基板を電気的に連結する複数のフレキシブルフィルムをさらに含み、
前記複数のフレキシブルフィルム、前記印刷回路基板及び前記表示パネルは、前記ベースプレート及び前記トップカバーによって固定される、請求項１４に記載の表示装置。
【請求項１９】
前記表示パネルと前記トップカバーとの間に配置されて、前記表示パネルを固定するパッドをさらに含む、請求項１８に記載の表示装置。
【発明の詳細な説明】
【技術分野】
【０００１】
本発明は、表示装置に関し、さらに詳しくは、巻取り可能であり、且つ、画像表示可能なローラブル（ｒｏｌｌａｂｌｅ）表示装置に関する。
【背景技術】
【０００２】
コンピュータのモニターやＴＶ、携帯電話などに使用される表示装置には、自ら光を発光する有機発光表示装置（Ｏｒｇａｎｉｃ  Ｌｉｇｈｔ  Ｅｍｉｔｔｉｎｇ  Ｄｉｓｐｌａｙ；ＯＬＥＤ）などと、別途の光源を要する液晶表示装置（Ｌｉｑｕｉｄ  Ｃｒｙｓｔａｌ  Ｄｉｓｐｌａｙ；ＬＣＤ）などとがある。
【０００３】
表示装置は、コンピュータのモニター及びＴＶだけでなく、個人携帯機器までその適用範囲が多様になっており、広い表示面積を維持しつつ体積と重さを減少した表示装置に対する研究が進んでいる。
【０００４】
また、最近では、フレキシブル（ｆｌｅｘｉｂｌｅ）素材のプラスチックなど柔延性のある基板に表示部、配線などを形成し、巻取り可能であり、且つ、画像表示可能に製造されるローラブル表示装置が次世代表示装置として注目されている。
【先行技術文献】
【特許文献】
【０００５】
【特許文献１】特開２０１７−１９８９６８
【発明の概要】
【発明が解決しようとする課題】
【０００６】
本発明で解決しようとする課題は、フレキシブルフィルム及び印刷回路基板を堅固に固定して表示装置をワインディング（ｗｉｎｄｉｎｇ）する過程での揺動による駆動ＩＣの損傷を防ぐ表示装置を提供することにある。
【０００７】
本発明が解決しようとする他の課題は、表示装置をワインディングする過程で、駆動ＩＣがバックカバーによって損傷することを防ぐ表示装置を提供することにある。
【０００８】
本発明が解決しようとする他の課題は、表示装置のワインディング及びアンワインディング時に印刷回路基板によって表示パネルが変形することを防ぐ表示装置を提供することにある。
【０００９】
本発明が解決しようとする他の課題は、表示装置のワインディング及びアンワインディング時に表示パネルがバックカバーから剥離することを防ぐ表示装置を提供することにある。
【００１０】
本発明の課題は、以上で言及した課題に制限されず、言及されない他の課題は、下記の記載から当業者に明確に理解できるであろう。
【課題を解決するための手段】
【００１１】
前述したような課題を解決するために、本発明の一実施例による表示装置は、複数のサブ画素が定義された表示パネルと、表示パネルと共に巻取り可能に構成されるバックカバーと、バックカバーを支持するようにバックカバーの一面の一部に配置されるベースプレートと、ベースプレートとの間にバックカバーが介在するように、バックカバーの他面の一部に配置され、バックカバーに固定すされるトップカバーとを含み、トップカバーは、曲面状の外周面を有し得る。
【００１２】
本発明の他の実施例による表示装置は、映像を表示するための表示パネルと、表示パネルの下に配置され、複数の固定孔が配置された固定領域を含むバックカバーと、表示パネルと電気的に連結され、固定領域に配置された印刷回路基板と、固定領域の下に配置されたベースプレートと、固定領域上で印刷回路基板上に配置されたトップカバーとを含み、ベースプレート及びトップカバーは、複数の固定孔に対応するように配置されて、バックカバーと結合できる。その他の実施例の具体的な事項は、詳細な説明及び図面に含まれている。
【発明の効果】
【００１３】
本発明は、ベースプレートとトップカバーとの間に印刷回路基板及びフレキシブルフィルムを配置して、表示装置のワインディングまたはアンワインディング（ｕｎｗｉｎｄｉｎｇ）時に駆動ＩＣが揺動によって損傷することを防ぐことができる。
【００１４】
本発明は、トップカバーが駆動ＩＣを保護するように配置して、表示装置をワインディングする過程で、駆動ＩＣがトップカバーによって損傷することを防ぐことができる。
【００１５】
本発明は、トップカバーが曲面状を有するようにして、表示装置のワインディングまたはアンワインディング時にローラによる表示パネル及びバックカバーの変形を防ぐことができる。
【００１６】
本発明は、トップカバーが曲面状を有し、表示装置を巻き取る時に、表示パネルが応力によってバックカバーから剥離することを防ぐことができる。
【００１７】
本発明は、トップカバーと表示パネルが接触する部分にパッドを配置して、表示パネルを堅固に固定できる。
【００１８】
本発明による効果は、以上で例示された内容によって制限されず、さらに多様な効果が本発明内に含まれている。
【図面の簡単な説明】
【００１９】
【図１ａ】本発明の一実施例による表示装置の斜視図である。
【図１ｂ】本発明の一実施例による表示装置の斜視図である。
【図２】本発明の一実施例による表示装置の分解斜視図である。
【図３】本発明の一実施例による表示装置のヘッドバー及び表示部を説明するための概略的な断面図である。
【図４】本発明の一実施例による表示装置の断面図である。
【図５】本発明の一実施例による表示装置の表示部の平面図である。
【図６】本発明の一実施例による表示装置の表示部の断面図である。
【図７ａ】本発明の一実施例による表示装置のバックカバーの平面図である。
【図７ｂ】図７ａのＡ領域の拡大図である。
【図８ａ】本発明の一実施例による表示装置の分解斜視図である。
【図８ｂ】本発明の一実施例による表示装置の締結構造の断面図である。
【図９ａ】本発明の一実施例による表示装置の断面図である。
【図９ｂ】本発明の一実施例による表示装置の断面図である。
【図９ｃ】本発明の一実施例による表示装置の断面図である。
【図１０】本発明の他の実施例による表示装置の分解斜視図である。
【図１１ａ】本発明の他の実施例による表示装置の締結過程を説明するための斜視図である。
【図１１ｂ】本発明の他の実施例による表示装置の締結過程を説明するための斜視図である。
【図１１ｃ】本発明の他の実施例による表示装置の締結過程を説明するための斜視図である。
【図１１ｄ】本発明の他の実施例による表示装置の締結過程を説明するための斜視図である。
【図１１ｅ】本発明の他の実施例による表示装置の締結過程を説明するための斜視図である。
【図１１ｆ】本発明の他の実施例による表示装置の締結過程を説明するための斜視図である。
【図１１ｇ】本発明の他の実施例による表示装置の締結過程を説明するための斜視図である。
【図１１ｈ】本発明の他の実施例による表示装置の締結過程を説明するための斜視図である。
【図１２】図１１ｈのＸＩＩ−ＸＩＩ’に沿った断面図である。
【図１３】本発明のまた他の実施例による表示装置の断面図である。
【図１４】本発明のまた他の実施例による表示装置のバックカバーの平面図である。
【図１５ａ】本発明のまた他の実施例による表示装置の締結過程を説明するための斜視図である。
【図１５ｂ】本発明のまた他の実施例による表示装置の締結過程を説明するための斜視図である。
【図１６】本発明のまた他の実施例による表示装置の断面図である。
【図１７】本発明のまた他の実施例による表示装置の断面図である。
【発明を実施するための形態】
【００２０】
本発明の利点及び特徴、そして、これらを達成する方法は、添付の図面と共に詳しく後述されている実施例を参照すれば明確になるであろう。しかし、本発明は、以下で開示される実施例に制限されるものではなく、互いに異なる多様な形状で実現されることができ、但し、本実施例は本発明の開示を完全にして、本発明が属する技術分野で通常の知識を持った者に発明の範疇を完全に知らせるために提供されるものであり、本発明は請求項の範疇によって定義されるだけである。
【００２１】
本発明の実施例を説明するための図面に開示された形状、面積、割合、角度、個数などは、例示的であるので、本発明が図示された事項に制限されるものではない。明細書全体にわたって同一の参照符号は同一の構成要素を指称する。また、本発明を説明するにあたって、関連の公知技術に対する具体的な説明が本発明の要旨を不要に曖昧にすると判断される場合、その詳しい説明は省略する。本発明上で言及された「含む」、「持つ」、「なる」などが使用される場合、「〜のみ」が使用されない限り、他の部分が追加されることができる。構成要素を単数で表現した場合に、特に明示的な記載事項がない限り、複数を含む場合を含む。
【００２２】
構成要素を解釈するにあたって、別途の明示的記載がなくても誤差範囲を含むと解釈する。
【００２３】
位置関係に対する説明の場合、例えば、「〜上に」、「〜上部に」、「〜下部に」、「〜横に」などと二つの部分の位置関係が説明される場合、「直」または「直接」が使用されない限り、二つの部分の間に一つ以上の他の部分が位置することもできる。
【００２４】
素子または層が他の素子または層「上（ｏｎ）」と指称されることは、他の素子直上に、または中間に他の層または他の素子を介在した場合を全て含む。
【００２５】
また、第１、第２などが多様な構成要素を述べるために使用されるが、これらの構成要素はこれらの用語によって制限されない。これらの用語は、単に一つの構成要素を他の構成要素と区別するために使用するものである。従って、以下で言及される第１構成要素は、本発明の技術的思想内で第２構成要素であることもできる。
【００２６】
明細書全体にわたって、同一の参照符号は同一の構成要素を指称する。図面で表れた各構成の面積及び厚さは、説明の便宜のために図示されたものであり、本発明が図示された構成の面積及び厚さに必ずしも限定されるものではない。
【００２７】
本発明の様々な実施例のそれぞれの特徴が部分的にまたは全体的に互いに結合または組み合わせ可能であり、技術的に多様な連動及び駆動が可能で、各実施例が互いに対して独立して実施してもよく、連関関係で共に実施してもよい。以下では、添付の図面を参照して本発明の多様な実施例を詳しく説明する。
【００２８】
＜表示装置−ローラブル表示装置＞
ローラブル表示装置とは、巻取り可能で且つ画像表示が可能な表示装置の総称である。ローラブル表示装置は、従来の一般的な表示装置と比べて高いフレキシビリティを有し得る。ローラブル表示装置は使用時と不使用時で、形状を自由に変更できる。具体的には、ローラブル表示装置を使用しない時には、ローラブル表示装置を巻き取って体積を減少して保管できる。反対に、ローラブル表示装置を使用する時には、巻取り状態のローラブル表示装置を再び広げて使用することができる。
【００２９】
図１ａ及び図１ｂは、本発明の一実施例による表示装置の斜視図である。図１ａ及び図１ｂを参照すると、本発明の一実施例による表示装置１００は、表示部ＤＰ及びハウジング部ＨＰを含む。
【００３０】
表示部ＤＰは、使用者に映像を表示するための構成で、例えば、表示素子及び表示素子を駆動するための回路、配線及び部品などを配置することができる。この時、本発明の一実施例による表示装置１００は、ローラブルであるので、表示部ＤＰを、ワインディング及びアンワインディング可能に構成されることができる。例えば、表示部ＤＰは、ワインディングまたはアンワインディング可能にフレキシビリティ（ｆｌｅｘｉｂｉｌｉｔｙ）を持つ表示パネル及びバックカバーからなることができる。表示部ＤＰに対するさらに詳しい説明は、図５〜図７ｂを参照して後述する。
【００３１】
ハウジング部ＨＰは、表示部ＤＰを収納可能なケースである。表示部ＤＰは、ワインディングされてハウジング部ＨＰの内部に収納されることができ、表示部ＤＰは、アンワインディングされてハウジング部ＨＰの外部に配置されることができる。
【００３２】
ハウジング部ＨＰは、表示部ＤＰがハウジング部ＨＰの内部及び外部に移動可能に開口部ＨＰＯを配置する。表示部ＤＰは、ハウジング部ＨＰの開口部ＨＰＯを通過して上下方向に移動できる。
【００３３】
一方、表示装置１００の表示部ＤＰは、フルアンワインディングされた状態からフルワインディングされた状態に、またはフルワインディングされた状態からフルアンワインディングされた状態に切り替えられる。
【００３４】
図１ａでは、表示装置１００の表示部ＤＰがフルアンワインディングされた状態を図示し、フルアンワインディングされた状態は、表示装置１００の表示部ＤＰがハウジング部ＨＰの外部に配置された状態である。即ち、使用者が表示装置１００を通じて映像を視聴するために、表示部ＤＰがアンワインディングされてハウジング部ＨＰの外部に最大限配置され、これ以上アンワインディングできない状態をフルアンワインディングされた状態と定義できる。
【００３５】
図１ｂでは、表示装置１００の表示部ＤＰがフルワインディングされた状態を図示し、フルワインディングされた状態は、表示装置１００の表示部ＤＰがハウジング部ＨＰの内部に収納され、これ以上ワインディングすることができない状態である。即ち、使用者が表示装置１００を通じて映像を視聴しない場合は、表示部ＤＰがハウジング部ＨＰの外部に配置されないことが外観の側面で有利であるので、表示部ＤＰがワインディングされてハウジング部ＨＰの内部に収納された状態をフルワインディングされた状態と定義できる。また、表示部ＤＰがハウジング部ＨＰの内部に収納されたフルワインディングされた状態の場合、表示装置１００の体積が小さくなり、運搬が容易になる。
【００３６】
一方、表示部ＤＰをフルアンワインディングされた状態またはフルワインディングされた状態に切り替えるために、表示部ＤＰをワインディングまたはアンワインディングする駆動部を配置する。
【００３７】
＜駆動部＞
図２は、本発明の一実施例による表示装置の分解斜視図である。図３は、本発明の一実施例による表示装置のヘッドバー及び表示部を説明するための概略的な断面図である。図４は、本発明の一実施例による表示装置の断面図である。図４は、本発明の一実施例による表示装置１００のローラ１５１及び表示部ＤＰを説明するための概略的な断面図である。説明の便宜のために、図３では、ヘッドバー１６４及び表示部ＤＰだけを図示し、図４では、ハウジング部ＨＰ、ローラ１５１及び表示部ＤＰだけを図示した。
【００３８】
図２を参照すると、駆動部ＭＰは、ローラ部１５０及び昇降部１６０を含む。ローラ部１５０は、第１方向ＤＲ１または第２方向ＤＲ２に回転し、ローラ部１５０に固定された表示部ＤＰをワインディングまたはアンワインディングする。ローラ部１５０は、ローラ１５１、ローラ支持部１５２及びローラ回転部１５３を含む。
【００３９】
ローラ１５１は、表示部ＤＰがワインディングされる部材である。ローラ１５１は、例えば、円筒形状で形成され得る。ローラ１５１に表示部ＤＰの下側エッジを固定できる。ローラ１５１が回転すると、ローラ１５１に下側エッジが固定された表示部ＤＰがローラ１５１にワインディングされ得る。一方、ローラ１５１が反対方向に回転すると、ローラ１５１にワインディングされた表示部ＤＰがローラ１５１からアンワインディングされ得る。
【００４０】
図４を参照すると、ローラ１５１は全体的には円筒形状であるが、一部分が平面からなることができる。即ち、ローラ１５１の外周面の一部分は平坦に形成され、外周面の残りの部分は曲面で形成される。但し、これに制限されず、ローラ１５１は、完全な円筒形状であるか、表示部ＤＰをワインディングできる任意の形状であってもよく、これに制限されるものではない。ローラ１５１に対するより具体的な説明は、図９ａ〜図９ｃを参照して詳しく後述する。
【００４１】
ローラ支持部１５２は、ローラ１５１の両側からローラ１５１を支持する。具体的には、ローラ支持部１５２は、ハウジング部ＨＰの底面ＨＰＦに配置される。そして、ローラ支持部１５２の上端側面は、ローラ１５１の両側末端と結合する。そこで、ローラ支持部１５２は、ローラ１５１をハウジング部ＨＰの底面ＨＰＦから離隔して支持することができる。この時、ローラ１５１はローラ支持部１５２に回転可能に結合できる。
【００４２】
ローラ回転部１５３は、ローラ１５１を第１方向ＤＲ１または第２方向ＤＲ２に回転させられる。一対のローラ支持部１５２にそれぞれローラ回転部１５３を配置できる。例えば、ローラ回転部１５３は、ローラ１５１に回転力を伝達する回転モータであり得るが、これに制限されない。
【００４３】
昇降部１６０は、ローラ部１５０の駆動に合わせて表示部ＤＰを上下方向に移動させる。昇降部１６０は、リンク支持部１６１、リンク部１６２、リンク昇降部１６３及びヘッドバー１６４を含む。
【００４４】
リンク支持部１６１は、リンク部１６２及びリンク昇降部１６３を支持する。具体的には、リンク支持部１６１は、上下方向に移動するリンク部１６２及び表示部ＤＰがハウジング部ＨＰの開口部ＨＰＯの境界に衝突しないように支持できる。リンク支持部１６１は、リンク部１６２及び表示部ＤＰが前後方向に移動せず、上下方向だけに移動するように支持できる。
【００４５】
リンク部１６２は、互いにヒンジ結合された複数のリンク１６２Ｌを含む。複数のリンク１６２Ｌのそれぞれは、互いに回転可能にヒンジ結合して、リンク昇降部１６３によって上下方向に移動できる。リンク部１６２は、上下方向に移動する時、複数のリンク１６２Ｌのそれぞれが互いに離れるか近くなる方向に回転できる。これに対する具体的な説明は、図４を参照して後述する。
【００４６】
リンク昇降部１６３は、リンク部１６２を上下方向に移動させることができる。リンク昇降部１６３は、リンク部１６２の複数のリンク１６２Ｌのそれぞれを、互いに近くなるように回転させるか、複数のリンク１６２Ｌのそれぞれを互いに離れるように回転させられる。リンク昇降部１６３は、リンク部１６２を上昇または下降させてリンク部１６２に連結された表示部ＤＰを上昇または下降させられる。
【００４７】
この時、リンク昇降部１６３は、ローラ回転部１５３と駆動を同期化して、ローラ部１５０と昇降部１６０を同時に動作することができる。例えば、表示部ＤＰをフルアンワインディングされた状態からフルワインディングされた状態に切り替える時、ローラ部１５０は、ローラ１５１に表示部ＤＰをワインディングするように動作し、同時に昇降部１６０は、リンク部１６２の複数のリンク１６２Ｌを回転させて表示部ＤＰが下降するように動作できる。また、表示部ＤＰをフルワインディングされた状態からフルアンワインディングされた状態に切り替える時、ローラ部１５０は、ローラ１５１から表示部ＤＰがアンワインディングするように動作し、同時に昇降部１６０は、リンク部１６２の複数のリンク１６２Ｌを回転させて表示部ＤＰが上昇するように動作できる。
【００４８】
昇降部１６０のヘッドバー１６４は、表示部ＤＰの最上端に固定される。ヘッドバー１６４は、リンク部１６２と連結され、リンク部１６２の複数のリンク１６２Ｌの回転によって表示部ＤＰを上下方向に移動できる。即ち、表示部ＤＰは、ヘッドバー１６４によってリンク部１６２及びリンク昇降部１６３によって上下方向に移動できる。
【００４９】
図３を共に参照すると、ヘッドバー１６４は、表示部ＤＰの最上端で、表示部ＤＰの正面及び背面を囲むように配置される。
【００５０】
ヘッドバー１６４は、第１ヘッドバー１６４ａ及び第２ヘッドバー１６４ｂを含む。第１ヘッドバー１６４ａは、表示部ＤＰの正面を覆う。第１ヘッドバー１６４ａは、表示部ＤＰに正面で表示される映像を塞がないように表示部ＤＰの最上端エッジに隣接する正面の一部分だけを覆う。
【００５１】
第２ヘッドバー１６４ｂは、表示部ＤＰの背面を覆う。第２ヘッドバー１６４ｂは、表示部ＤＰの最上端エッジに隣接する背面の一部分を覆う。但し、表示部ＤＰの背面には映像が表示されないので、第２ヘッドバー１６４ｂは、第１ヘッドバー１６４ａより表示部ＤＰにより多く重畳することができる。
【００５２】
表示部ＤＰを第１ヘッドバー１６４ａ及び第２ヘッドバー１６４ｂに締結するために、表示部ＤＰに第１締結孔ＡＨ１を形成できる。そして、スクリューＳＣは、第１締結孔ＡＨ１を貫通して第１ヘッドバー１６４ａ、表示部ＤＰ及び第２ヘッドバー１６４ｂを締結できる。
【００５３】
第２ヘッドバー１６４ｂには、昇降部１６０のリンク部１６２を締結するペムナットＰＮが配置される。ペムナットＰＮによって第２ヘッドバー１６４ｂと昇降部１６０のリンク部１６２を締結できる。従って、昇降部１６０のリンク部１６２が上下方向に移動する時、リンク部１６２に締結された第２ヘッドバー１６４ｂと、第２ヘッドバー１６４ｂに締結された第１ヘッドバー１６４ａ及び表示部ＤＰが共に上下方向に移動できる。
【００５４】
一方、図３では、第１ヘッドバー１６４ａ及び第２ヘッドバー１６４ｂが一字形状であると図示したが、第１ヘッドバー１６４ａ及び第２ヘッドバー１６４ｂの形状を多様に変更することができ、これに制限されない。例えば、第１ヘッドバー１６４ａ及び第２ヘッドバー１６４ｂを「逆Ｌ」の字状を有するように形成してもよい。以下では、図４を共に参照して、駆動部ＭＰの駆動動作について詳しく説明する。
【００５５】
図４を共に参照すると、ローラ１５１に表示部ＤＰの下側エッジを連結する。ローラ１５１をローラ回転部１５３によって第１方向ＤＲ１、つまり、時計方向に回転すると、表示部ＤＰは、表示部ＤＰの背面がローラ１５１の表面に密着するようにローラ１５１にワインディングされ得る。
【００５６】
反対に、ローラ１５１をローラ回転部１５３によって第２方向ＤＲ２、つまり、半時計方向に回転すると、ローラ１５１にワインディングされた表示部ＤＰをローラ１５１からアンワインディングされてハウジング部ＨＰの外部に配置できる。
【００５７】
幾つかの実施例において、上述した駆動部ＭＰ以外に他の構造を有する駆動部ＭＰを表示装置１００に適用もできる。即ち、表示部ＤＰをワインディング及びアンワインディングできれば、上述したローラ部１５０及び昇降部１６０の構成を変更してもよく、一部構成を省略してもよく、他の構成を追加してもよい。
【００５８】
＜表示部＞
図５は、本発明の一実施例による表示装置の表示部の平面図である。図６は、本発明の一実施例による表示装置の表示部の断面図である。図５を参照すると、表示部ＤＰは、バックカバー１１０、表示パネル１２０、フレキシブルフィルム１３０及び印刷回路基板１４０を含む。
【００５９】
表示パネル１２０は、使用者に映像を表示するためのパネルである。表示パネル１２０は、映像を表示するための表示素子、表示素子を駆動するための駆動素子、及び表示素子及び駆動素子に各種の信号を伝達する配線などを配置できる。表示素子は、表示パネル１２０の種類によって異なって定義されることができ、例えば、表示パネル１２０が有機発光表示パネルの場合、表示素子は、アノード、有機発光層及びカソードを含む有機発光素子であり得る。例えば、表示パネル１２０が液晶表示パネルの場合、表示素子は液晶表示素子であり得る。以下では、表示パネル１２０が有機発光表示パネルであると仮定するものの、表示パネル１２０は有機発光表示パネルに制限されるものではない。また、本発明の一実施例による表示装置１００は、ローラブル表示装置であるので、表示パネル１２０を、ローラ１５１にワインディングまたはアンワインディングされるフレキシブル表示パネルで実現できる。
【００６０】
表示パネル１２０は、表示領域ＡＡ及び非表示領域ＮＡを含む。表示領域ＡＡは、表示パネル１２０で映像が表示される領域である。表示領域ＡＡには、複数のサブ画素及び複数のサブ画素を駆動するために回路を配置できる。複数のサブ画素は、表示領域ＡＡを構成する最小単位であり、複数のサブ画素のそれぞれに表示素子を配置できる。例えば、複数のサブ画素のそれぞれには、アノード、有機発光層及びカソードを含む有機発光素子を配置できるが、これに制限されない。また、複数のサブ画素を駆動するための回路には、駆動素子及び配線などを含められる。例えば、回路は、薄膜トランジスタ、ストレージキャパシタ、ゲート配線、データ配線などからなり得るが、これに制限されない。
【００６１】
非表示領域ＮＡは、映像が表示されない領域である。非表示領域ＮＡには、表示領域ＡＡの有機発光素子を駆動するための多様な配線及び回路などが配置される。例えば、非表示領域ＮＡには、表示領域ＡＡの複数のサブ画素及び回路に信号を伝達するためのリンク配線またはゲートドライバーＩＣ、データドライバーＩＣのような駆動ＩＣなどを配置できるが、これに制限されない。
【００６２】
フレキシブルフィルム１３０は、延性を持ったベースフィルムに各種の部品を配置したフィルムで、表示領域ＡＡの複数のサブ画素及び回路に信号を供給するためのフィルムとして、表示パネル１２０と電気的に連結できる。フレキシブルフィルム１３０は、表示パネル１２０の非表示領域ＮＡの一端に配置され、電源電圧、データ電圧などを表示領域ＡＡの複数のサブ画素及び回路に供給する。図５に示すフレキシブルフィルム１３０の個数は例示的なものであり、フレキシブルフィルム１３０の個数は、設計によって多様に変更でき、これに制限されない。
【００６３】
一方、フレキシブルフィルム１３０に、例えば、ゲートドライバーＩＣ、データドライバーＩＣのような駆動ＩＣを配置できる。駆動ＩＣは、映像を表示するためのデータとこれを処理するための駆動信号を処理する部品である。駆動ＩＣは、実装方式によって、チップオングラス（Ｃｈｉｐ  Ｏｎ  Ｇｌａｓｓ；ＣＯＧ）、チップオンフィルム（Ｃｈｉｐ  Ｏｎ  Ｆｉｌｍ；ＣＯＦ）、テープキャリアパッケージ（Ｔａｐｅ  Ｃａｒｒｉｅｒ  Ｐａｃｋａｇｅ；ＴＣＰ）などの方式で配置できる。ここでは説明の便宜のために、駆動ＩＣがフレキシブルフィルム１３０上に実装されたチップオンフィルム方式であると説明したが、これに制限されない。
【００６４】
印刷回路基板１４０は、フレキシブルフィルム１３０の一端に配置され、フレキシブルフィルム１３０と連結する。印刷回路基板１４０は、駆動ＩＣに信号を供給する部品である。印刷回路基板１４０は、駆動信号、データ信号などのような多様な信号を駆動ＩＣに供給する。印刷回路基板１４０には、各種の部品を配置することができる。例えば、印刷回路基板１４０には、タイミングコントローラ、電源部などを配置することができる。一方、図５では印刷回路基板１４０が１個であると図示したが、印刷回路基板１４０の個数は、設計によって多様に変更されることができ、これに制限されない。
【００６５】
一方、図５には示されていないが、印刷回路基板１４０と連結される追加の印刷回路基板を配置できる。例えば、印刷回路基板１４０を、データ駆動部が実装されるソース印刷回路基板（Ｓｏｕｒｃｅ  ＰＣＢ；Ｓ−ＰＣＢ）と指称でき、印刷回路基板１４０と連結される追加の印刷回路基板は、タイミングコントローラなどを実装するコントロール印刷回路基板（Ｃｏｎｔｒｏｌ  ＰＣＢ；Ｃ−ＰＣＢ）と指称できる。追加の印刷回路基板を、ローラ１５１内に配置してもよく、ローラ１５１の外部でハウジング部ＨＰ内に配置してもよい。
【００６６】
バックカバー１１０は、表示パネル１２０、フレキシブルフィルム１３０及び印刷回路基板１４０の背面に配置され、表示パネル１２０、フレキシブルフィルム１３０及び印刷回路基板１４０を支持する。バックカバー１１０は、表示パネル１２０の大きさより大きくできる。バックカバー１１０は、外部から表示部ＤＰの他の構成を保護できる。バックカバー１１０は、剛性を持つ物質で形成されるものの、バックカバー１１０の少なくとも一部分は、表示パネル１２０と共にワインディングまたはアンワインディングされるためにフレキシビリティ（ｆｌｅｘｉｂｉｌｉｔｙ）を持ってもよい。例えば、バックカバー１１０は、ＳＵＳ（Ｓｔｅｅｌ  Ｕｓｅ  Ｓｔａｉｎｌｅｓｓ）またはインバー（Ｉｎｖａｒ）などの金属材質またはプラスチックなどの物質からなり得る。但し、バックカバー１１０の物質は、設計によって熱変形量、曲率半径、剛性などの物性条件を満せば、多様に変更でき、これに制限されない。
【００６７】
図６を参照すると、表示パネル１２０は、基板１２１、バッファ層１２２、画素部１２３、封止層１２４及び封止基板１２５を含む。基板１２１を、表示パネル１２０の多様な構成を支持するためのベース部材で、絶縁物質で構成できる。基板１２１は、表示パネル１２０をワインディングまたはアンワインディングするために、フレキシビリティを有する物質からなってもよく、例えば、ポリイミド（ＰＩ）などのようなプラスチック物質からなってもよい。
【００６８】
バッファ層１２２は、基板１２１の外側から浸透した水分及び／または酸素が拡散することを防止できる。バッファ層１２２は、シリコン酸化物（ＳｉＯｘ）及びシリコン窒化物（ＳｉＮｘ）の単層や複層で構成できるが、これに制限されない。
【００６９】
画素部１２３は、複数の有機発光素子及び有機発光素子を駆動するための回路を含む。画素部１２３は、表示領域ＡＡに対応する領域であってもよい。有機発光素子は、アノード、有機発光層及びカソードを含むことができる。
【００７０】
アノードは、有機発光層に正孔を供給でき、仕事関数の高い導電性物質からなり得る。例えば、アノードは、スズ酸化物（Ｔｉｎ  Ｏｘｉｄｅ；ＴＯ）、インジウムスズ酸化物（Ｉｎｄｉｕｍ  Ｔｉｎ  Ｏｘｉｄｅ；ＩＴＯ）、インジウム亜鉛酸化物（Ｉｎｄｉｕｍ  Ｚｉｎｃ  Ｏｘｉｄｅ；ＩＺＯ）、インジウムスズ亜鉛酸化物（Ｉｎｄｉｕｍ  Ｚｉｎｃ  Ｔｉｎ  Ｏｘｉｄｅ；ＩＴＺＯ）などからなり得るが、これに制限されない。
【００７１】
有機発光層は、アノードから正孔の供給を受け、カソードから電子の供給を受けて光を発光できる。有機発光層は、有機発光層で発光した光の色相によって、赤色有機発光層、緑色有機発光層、青色有機発光層及び白色有機発光層などになり得る。この時、有機発光層が白色有機発光層の場合、多様な色相のカラーフィルターを追加で配置できる。
【００７２】
カソードは、有機発光層に電子を供給することができ、仕事関数の低い導電性物質からなり得る。例えば、カソードは、マグネシウム（Ｍｇ）、銀（Ａｇ）、アルミニウム（Ａｌ）などのような金属及びこれらの合金からなる群より選択されたいずれか一つ以上でなり得るが、これに制限されない。
【００７３】
一方、有機発光素子で発光された光が放出される方向によって、表示パネル１２０を、トップエミッション（ｔｏｐ  ｅｍｉｓｓｉｏｎ）またはボトムエミッション（ｂｏｔｔｏｍ  ｅｍｉｓｓｉｏｎ）方式で構成できる。
【００７４】
トップエミッション方式は、有機発光素子が発光する光を、有機発光素子が形成された基板１２１の上部に発光する方式である。トップエミッション方式の場合、有機発光素子が発光する光を基板１２１の上部に、つまり、カソード側に進行させるために、アノード下部に反射層を形成できる。
【００７５】
ボトムエミッション方式は、有機発光素子が発光した光を、有機発光素子が形成された基板１２１の下部に発光する方式である。ボトムエミッション方式の場合、有機発光素子が発光した光を基板１２１の下部に進行させるために、アノードを透明導電性物質だけで形成し、カソードを反射率の高い金属物質で形成できる。
【００７６】
以下では、説明の便宜のために、本発明の一実施例による表示装置１００をボトムエミッション方式の表示装置と仮定して説明するが、これに制限されるものではない。
【００７７】
画素部１２３には、有機発光素子を駆動するための回路が配置される。回路は、薄膜トランジスタ、ストレージキャパシタ、ゲート配線、データ配線、電源配線などでなり得るが、表示装置１００の設計によって多様に変更できる。
【００７８】
画素部１２３上には、画素部１２３を覆う封止層１２４を配置する。封止層１２４は、画素部１２３の有機発光素子を密封する。封止層１２４は、外部の湿気、酸素、衝撃などから画素部１２３の有機発光素子を保護できる。封止層１２４は、複数の無機層と複数の有機層が交互に積層して形成され得る。例えば、無機層は、シリコン窒化物（ＳｉＮｘ）、シリコン酸化物（ＳｉＯｘ）、アルミニウム酸化物（ＡｌＯｘ）などのような無機物からなり得、有機層には、エポキシ（Ｅｐｏｘｙ）系列またはアクリル（Ａｃｒｙｌ）系列のポリマーを使用できるが、これに制限されない。
【００７９】
封止層１２４上に封止基板１２５が配置される。封止基板１２５は、封止層１２４と共に画素部１２３の有機発光素子を保護する。封止基板１２５は、外部の湿気、酸素、衝撃などから画素部１２３の有機発光素子を保護できる。封止基板１２５は、耐腐食性が強く、ホイル（ｆｏｉｌ）あるいは薄膜形態で加工が容易なアルミニウム（Ａｌ）、ニッケル（Ｎｉ）、クロム（Ｃｒ）、鉄（Ｆｅ）とニッケルの合金材質などの金属材質から形成できる。そこで、封止基板１２５を金属材質で形成することによって、超薄膜形態で封止基板１２５の実現が可能であり、外部の衝撃及び引っかかりに強い耐保護性を提供できる。
【００８０】
封止層１２４と封止基板１２５との間に第１接着層ＡＤ１を配置できる。第１接着層ＡＤ１は、封止層１２４と封止基板１２５とを接着できる。第１接着層ＡＤ１は接着性を持つ物質からなり、熱硬化型または自然硬化型の接着剤であってよい。例えば、第１接着層ＡＤ１は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）などであり得るが、これに制限されない。
【００８１】
一方、第１接着層ＡＤ１を、封止層１２４及び画素部１２３を囲むように配置できる。即ち、画素部１２３を、バッファ層１２２及び封止層１２４によって密封でき、封止層１２４及び画素部１２３は、バッファ層１２２と第１接着層ＡＤ１によって密封されることができる。第１接着層ＡＤ１は、封止層１２４及び封止基板１２５と共に画素部１２３の有機発光素子を外部の湿気、酸素、衝撃などから保護できる。この時、第１接着層ＡＤ１は、吸湿剤をさらに含んでもよい。吸湿剤は吸湿性を持つパーティクルであってもよく、外部から水分及び酸素などを吸収して、画素部１２３に水分及び酸素が浸透することを防げる。
【００８２】
封止基板１２５上にバックカバー１１０が配置される。バックカバー１１０は、表示パネル１２０の封止基板１２５に接するように配置され、表示パネル１２０を保護できる。バックカバー１１０を、表示パネル１２０を保護するために、剛性を持つ物質で形成できる。
【００８３】
封止基板１２５とバックカバー１１０との間に第２接着層ＡＤ２が配置される。第２接着層ＡＤ２は、封止基板１２５とバックカバー１１０を接着できる。第２接着層ＡＤ２は、接着性を持つ物質からなり、熱硬化型または自然硬化型の接着剤であってもよい。例えば、第２接着層ＡＤ２は、ＯＣＡ（Ｏｐｔｉｃａｌ  Ｃｌｅａｒ  Ａｄｈｅｓｉｖｅ）、ＰＳＡ（Ｐｒｅｓｓｕｒｅ  Ｓｅｎｓｉｔｉｖｅ  Ａｄｈｅｓｉｖｅ）などであってよいが、これに制限されない。
【００８４】
図６では、バックカバー１１０の複数の開口部１１１に第２接着層ＡＤ２が満たされていないと図示したが、第２接着層ＡＤ２がバックカバー１１０の複数の開口部１１１の一部または全体に満たされてもよい。もし、第２接着層ＡＤ２がバックカバー１１０の複数の開口部１１１の内側に満たされる場合、第２接着層ＡＤ２とバックカバー１１０の間の接触面積が増加して剥離現象を防止できる。
【００８５】
一方、図６には示されていないが、基板１２１の前面に透光性フィルムをさらに配置できる。透光性フィルムは、表示パネル１２０の全面を保護するか、表示パネル１２０に入射する外部光の反射を最小化するなどの機能を実行できる。例えば、透光性フィルムは、ＰＥＴ（ｐｏｌｙｅｔｈｙｌｅｎｅｔｅｒｅｐｈｔｈａｌａｔｅ）フィルム、反射防止フィルム、偏光フィルム及び透過度制御フィルム（ｔｒａｎｓｍｉｔｔａｎｃｅ  ｃｏｎｔｒｏｌｌａｂｌｅ  ｆｉｌｍ）の少なくともいずれか一つのフィルムであってよいが、これに制限されない。以下では、図７ａ及び図７ｂを参照して、バックカバー１１０についてより詳しく説明する。
【００８６】
＜バックカバーの具体的構成＞
図７ａは、本発明の一実施例による表示装置のバックカバーの平面図である。図７ｂは、図７ａのＡ領域の拡大図である。図７ａを参照すると、バックカバー１１０は、固定領域ＦＡ、支持領域ＰＡ及び延性領域ＭＡを含む。具体的には、固定領域ＦＡは、印刷回路基板１４０及びフレキシブルフィルム１３０が固定される領域であり、支持領域ＰＡは、複数の開口部１１１が配置されない領域であり、延性領域ＭＡは、複数の開口部１１１が配置された領域である。この時、バックカバー１１０は、最上端の第１支持領域ＰＡ１、バックカバー１１０の最下端の第２支持領域ＰＡ２、第１支持領域ＰＡ１と第２支持領域ＰＡ２との間の固定領域ＦＡ、第１支持領域ＰＡ１と固定領域ＦＡとの間及び固定領域ＦＡと第２支持領域ＰＡ２との間の延性領域ＭＡを含む。
【００８７】
図７ａを参照すると、バックカバー１１０の第１支持領域ＰＡ１は、バックカバー１１０の最上端領域で、ヘッドバー１６４と締結される領域である。第１支持領域ＰＡ１には、ヘッドバー１６４と締結するために、第１締結孔ＡＨ１が形成される。そして、図３で上述したように、ヘッドバー１６４と第１締結孔ＡＨ１を貫通するスクリューＳＣが配置されて、ヘッドバー１６４とバックカバー１１０の第１支持領域ＰＡ１とを締結できる。そして、第１支持領域ＰＡ１がヘッドバー１６４と締結されることによって、ヘッドバー１６４に締結されたリンク部１６２が上昇または下降時に、バックカバー１１０も共に昇降または下降でき、バックカバー１１０に付着した表示パネル１２０も共に昇降または下降できる。図７ａでは、第１締結孔ＡＨ１が５個であると図示したが、第１締結孔ＡＨ１の個数はこれに制限されない。また、図７ａでは、バックカバー１１０が第１締結孔ＡＨ１を使用してヘッドバー１６４と締結すると説明したが、これに制限されず、別途の締結孔なしにバックカバー１１０とヘッドバー１６４とを締結できる。
【００８８】
図７ａを参照すると、バックカバー１１０の第２支持領域ＰＡ２は、バックカバー１１０の最下端領域でローラ１５１と締結する領域である。第２支持領域ＰＡ２には、ローラ１５１と締結するために第２締結孔ＡＨ２を形成できる。例えば、ローラ１５１と第２締結孔ＡＨ２を貫通するスクリューＳＣが配置され、ローラ１５１とバックカバー１１０の第２支持領域ＰＡ２を締結できる。そして、第２支持領域ＰＡ２とローラ１５１とを締結することによって、ローラ１５１の回転により、バックカバー１１０がローラ１５１にワインディングまたはアンワインディングされ得る。図７ａでは、第２締結孔ＡＨ２が２個であると図示したが、第２締結孔ＡＨ２の個数はこれに制限されない。
【００８９】
固定領域ＦＡは、第１支持領域ＰＡ１と第２支持領域ＰＡ２との間に配置された領域である。固定領域ＦＡには、表示パネル１２０の一端に連結されたフレキシブルフィルム１３０及び印刷回路基板１４０を配置して固定する。
【００９０】
固定領域ＦＡは、フレキシブルフィルム１３０及び印刷回路基板１４０を保護するために、フレキシブルフィルム１３０及び印刷回路基板１４０をローラ１５１に曲面ではなく平面状にワインディングできる。また、ローラ１５１も、固定領域ＦＡに対応して一部分が平面状形成できる。これに対するさらに詳しい説明は、図９ａ〜図９ｃを参照して後述する。
【００９１】
固定領域ＦＡには、複数の固定孔１１２が配置される。複数の固定孔１１２は、フレキシブルフィルム１３０のそれぞれの間に配置され、複数の固定孔１１２を通じて締結されるベースプレート１７０及びトップカバー１８０と共にフレキシブルフィルム１３０及び印刷回路基板１４０をさらに安定して固定できる。表示部ＤＰがワインディングまたはアンワインディングされる時に、固定領域ＦＡに配置されたフレキシブルフィルム１３０と印刷回路基板１４０が固定されず、揺動できる。具体的には、表示部ＤＰがワインディングまたはアンワインディングされる時に、バックカバー１１０の固定領域ＦＡには、収縮または膨脹による応力が加えられ得る。これにより、固定領域ＦＡの複数の固定孔１１２は、ベースプレート１７０及びトップカバー１８０と締結するように形成され、ベースプレート１７０及びトップカバー１８０の間に配置されたフレキシブルフィルム１３０と印刷回路基板１４０とを固定できる。一方、図７ａに示された複数の固定孔１１２の個数は例示的なものであり、複数の固定孔１１２の個数を、印刷回路基板１４０の個数、フレキシブルフィルム１３０の個数などに基づいて決めることができる。複数の固定孔１１２に対するさらに詳しい説明は、図８を参照して後述する。
【００９２】
バックカバー１１０の延性領域ＭＡは、表示パネル１２０と共にローラ１５１にワインディングまたはアンワインディングされる領域である。延性領域ＭＡは、表示部ＤＰの他の構成のうち少なくとも表示パネル１２０に重畳できる。
【００９３】
バックカバー１１０の延性領域ＭＡに複数の開口部１１１が配置される。表示部ＤＰがワインディングまたはアンワインディングされる時、複数の開口部１１１を、表示部ＤＰに加えられる応力によって変形できる。具体的には、表示部ＤＰがワインディングまたはアンワインディングされる時、バックカバー１１０の延性領域ＭＡは、複数の開口部１１１を収縮または膨脹させることによって変形できる。そして、複数の開口部１１１が収縮または膨脹することで、バックカバー１１０の延性領域ＭＡ上に配置された表示パネル１２０のスリップ（ｓｌｉｐ）現象を最小化しながら、表示パネル１２０に加えられる応力、つまり、ストレスを最小化できる。
【００９４】
表示パネル１２０及びバックカバー１１０をワインディングする時、表示パネル１２０とバックカバー１１０の曲率半径差により、ローラ１５１にワインディングされる表示パネル１２０の長さとバックカバー１１０の長さが異なる。例えば、バックカバー１１０及び表示パネル１２０をローラ１５１にワインディングする時、バックカバー１１０及び表示パネル１２０がローラ１５１に一回りワインディングされるために必要な長さを異ならせてもよい。即ち、表示パネル１２０がローラ１５１を基準としてバックカバー１１０より外側に配置されるので、表示パネル１２０がローラ１５１に一回りワインディングされるために必要な長さは、バックカバー１１０がローラ１５１に一回りワインディングされるために必要な長さより長くできる。このように、表示部ＤＰのワインディング時に曲率半径差によってバックカバー１１０と表示パネル１２０でワインディングされる長さが異なり、バックカバー１１０に付着した表示パネル１２０が滑って本来の位置から移動することもある。この時、ワインディングによって発生した応力及び曲率半径差によって表示パネル１２０がバックカバー１１０から滑る現象をスリップ現象と定義する。スリップが大きくなりすぎると、表示パネル１２０がバックカバー１１０から脱着するか、クラックなどの不良が発生する可能性がある。
【００９５】
この時、本発明の一実施例による表示装置１００では、表示部ＤＰがワインディングまたはアンワインディングされて、表示部ＤＰに応力が加えられても、バックカバー１１０の複数の開口部１１１が柔軟に変形して、バックカバー１１０及び表示パネル１２０に加えられる応力を緩和できる。例えば、バックカバー１１０及び表示パネル１２０がローラ１５１にワインディングされる時、バックカバー１１０及び表示パネル１２０を上下方向に変形させる応力を加えることができる。この時、バックカバー１１０の複数の開口部１１１をバックカバー１１０の上下方向に伸ばすことができ、バックカバー１１０の長さも柔軟に変形できる。従って、バックカバー１１０と表示パネル１２０がワインディングされる過程で、曲率半径差によるバックカバー１１０と表示パネル１２０の長さ差をバックカバー１１０の複数の開口部１１１によって補償できる。また、バックカバー１１０と表示パネル１２０がワインディングされる過程で、複数の開口部１１１が変形されてバックカバー１１０から表示パネル１２０に加えられる応力も緩和できる。
【００９６】
図７ａ及び図７ｂを参照すると、複数の開口部１１１は、隣り合う行の複数の開口部１１１に対して交互に配置される。例えば、一つの行に配置された複数の開口部１１１は、当該行と隣り合う行に配置された複数の開口部１１１と交互に配置される。具体的には、奇数行に配置された複数の開口部１１１の中心と、偶数行に配置された複数の開口部１１１の中心とを、交互に配置でき、例えば、開口部１１１の行方向に対する幅１１１ＷＲの１／２ずつ交互に配置できる。但し、図７ａに図示された複数の開口部１１１の配置は例示的なものであり、これに制限されない。
【００９７】
複数の開口部１１１を交互に配置することによって、列方向に中心が互いに一致する複数の開口部１１１間の距離１１１ＷＢを最小化できる。具体的には、延性領域ＭＡで列方向に中心が一致する複数の開口部１１１間の領域は、剛性を持ち得る。そして、バックカバー１１０のワインディング時に、バックカバー１１０を列方向に曲げねばならないものの、列方向に中心が一致する複数の開口部１１１間の一部領域の距離１１１ＷＢが長いほど、バックカバー１１０を列方向に曲げるのが難しい。この時、複数の開口部１１１を行単位で交互に配置することによって、行単位で交互に配置されない場合より列方向に中心が互いに一致する複数の開口部１１１間の距離１１１ＷＢを最小化でき、複数の開口部１１１間の領域も最小化できる。従って、列方向に中心が一致する複数の開口部１１１間の距離１１１ＷＢが減少し、延性領域ＭＡで列方向に延長し続けて複数の開口部１１１が配置されない領域を除去することによって、列方向に剛性を持つ複数の開口部１１１間の領域の距離１１１ＷＢが最小化されて、バックカバー１１０のワインディングまたはアンワインディングを妨害せずにバックカバー１１０の剛性を向上できる。
【００９８】
図７ｂを参照すると、複数の開口部１１１は、行方向に対する最大幅１１１ＷＲが列方向に対する最大幅１１１ＷＣより大きい。即ち、図７ｂに示すように、複数の開口部１１１の横方向に対する最大幅１１１ＷＲが複数の開口部１１１の縦方向に対する最大幅１１１ＷＣより大きくできる。
【００９９】
複数の開口部１１１の行方向に対する幅１１１ＷＲが大きくなるほど、バックカバー１１０の延性領域ＭＡを柔軟に変形できる。具体的には、バックカバー１１０を、ワインディング時に、バックカバー１１０の列方向に曲げることができ、複数の開口部１１１が列方向に伸びるように応力を加えることができる。この時、複数の開口部１１１の行方向に対する幅１１１ＷＲが大きくなると、複数の開口部１１１を列方向に引っぱった時、複数の開口部１１１が列方向に伸びる幅１１１ＷＣを増加できる。そして、複数の開口部１１１が列方向に伸びるほど、延性領域ＭＡに加えられる応力も緩和できる。従って、複数の開口部１１１の行方向に対する幅１１１ＷＲを大きくして、バックカバー１１０の延性領域ＭＡが容易にワインディングまたはアンワインディングされ、延性領域ＭＡに加えられる応力も緩和できる。
【０１００】
複数の開口部１１１の列方向に対する幅１１１ＷＣが大きくなるほど複数の開口部１１１の加工が容易になる。但し、複数の開口部１１１の列方向に対する幅１１１ＷＣが大きくなる場合、延性領域ＭＡで複数の開口部１１１の開口率が大きくなり、延性領域ＭＡに付着する表示パネル１２０とバックカバー１１０の接触面積が減少する。この時、表示パネル１２０とバックカバー１１０の重畳面積、つまり、バックカバー１１０と第２接着層ＡＤ２間の接触面積が減少すれば、バックカバー１１０と第２接着層ＡＤ２の剥離が発生する可能性もある。従って、複数の開口部１１１の列方向に対する幅１１１ＷＣを調節して表示パネル１２０とバックカバー１１０間の剥離が起こらないように接着力を調節でき、複数の開口部１１１の行方向に対する幅１１１ＷＲを調節してバックカバー１１０が高いフレキシビリティを有するように設計できる。
【０１０１】
この時、第１支持領域ＰＡ１と第２支持領域ＰＡ２には、延性領域ＭＡに形成したような複数の開口部１１１を形成しない。即ち、第１支持領域ＰＡ１及び第２支持領域ＰＡ２のそれぞれには、第１締結孔ＡＨ１及び第２締結孔ＡＨ２のみを形成するだけで、延性領域ＭＡに形成したような複数の開口部１１１を形成しない。また、第１締結孔ＡＨ１及び第２締結孔ＡＨ２は、複数の開口部１１１と形状が互いに異なる。第１支持領域ＰＡ１及び第２支持領域ＰＡ２は、それぞれヘッドバー１６４とローラ１５１に固定される領域で、延性領域ＭＡより剛性を持たなければならない。具体的には、第１支持領域ＰＡ１及び第２支持領域ＰＡ２が剛性を持つことによって、第１支持領域ＰＡ１及び第２支持領域ＰＡ２を、ヘッドバー１６４及びローラ１５１に固定できる。従って、表示部ＤＰは、駆動部ＭＰのローラ１５１及びヘッドバー１６４に固定されて、駆動部ＭＰの動作によってハウジング部ＨＰの内部または外部に移動できる。
【０１０２】
本発明の一実施例による表示装置１００では、複数の開口部１１１が形成されたバックカバー１１０を表示パネル１２０の背面に配置し、表示パネル１２０を支持及び保護する。バックカバー１１０は、金属材質などで形成されて剛性を持つと同時に、バックカバー１１０のうち表示パネル１２０が配置される延性領域ＭＡに複数の開口部１１１を形成して、バックカバー１１０のフレキシビリティを向上できる。そこで、表示装置１００の表示部ＤＰがハウジング部ＨＰの外部に配置されたフルアンワインディングされた状態で、剛性を持つ材質からなる高剛性のバックカバー１１０は、表示パネル１２０が平坦に広がるように支持できる。一方、表示装置１００の表示部ＤＰがハウジング部ＨＰの内部に収納されたフルワインディングされた状態において、複数の開口部１１１によって高いフレキシビリティを有するバックカバー１１０は、表示パネル１２０と共にローラ１５１にワインディングされて収納され得る。
【０１０３】
また、本発明の一実施例による表示装置１００では、複数の開口部１１１の行方向に対する幅１１１ＷＲを調節して、バックカバー１１０がフレキシビリティを有するようにでき、バックカバー１１０のワインディング時に加えられる応力を緩和できる。具体的には、バックカバー１１０及び表示パネル１２０がローラにワインディングされる時、バックカバー１１０は列方向に曲げられ、複数の開口部１１１が列方向に伸びるように応力を加えられ得る。複数の開口部１１１は、行方向に対する幅１１１ＷＲを大きく形成することで、バックカバー１１０及び表示パネル１２０がローラ１５１にワインディングされる時、複数の開口部１１１を列方向に容易に伸ばすことができ、バックカバー１１０に加わる応力を緩和できる。そこで、本発明の一実施例による表示装置１００では、複数の開口部１１１の行方向に対する幅１１１ＷＲを調節してバックカバー１１０のフレキシビリティを高めることができ、バックカバー１１０及び表示パネル１２０がローラ１５１に容易にワインディングできる。また、複数の開口部１１１は列方向に膨脹しながらバックカバー１１０及び表示パネル１２０に加わる応力を緩和でき、表示パネル１２０の破損を低減できる。
【０１０４】
また、本発明の一実施例による表示装置１００では、複数の開口部１１１の列方向に対する幅１１１ＷＣを調節して、バックカバー１１０と表示パネル１２０間の接着力を調節できる。具体的には、表示パネル１２０を、バックカバー１１０の延性領域ＭＡに取り付ける。この時、延性領域ＭＡに配置された複数の開口部１１１の開口率が大きいほど表示パネル１２０とバックカバー１１０との接触する面積が減少し、表示パネル１２０とバックカバー１１０との間の接着力を減少させられる。しかし、本発明の一実施例による表示装置１００では、バックカバー１１０の複数の開口部１１１の列方向に対する幅１１１ＷＣを小さく形成して複数の開口部１１１の開口率を減らすことができ、表示パネル１２０とバックカバー１１０の接触面積を増やすことができる。表示パネル１２０とバックカバー１１０の接触面積が増えることによって、表示パネル１２０とバックカバー１１０の接着力を向上できる。そこで、本発明の一実施例による表示装置１００では、複数の開口部１１１の列方向に対する幅１１１ＷＣを調節して、バックカバー１１０と表示パネル１２０間の剥離が起こらないように一定水準以上の接着力を確保することができる。
【０１０５】
一方、複数の開口部１１１の形状は、行方向に対する幅が列方向に対する幅より大きければ図７ａ及び図７ｂに示した形状に制限されず、多様な形状であってよい。例えば、ダンベル状、菱形状、リボン状、楕円状などであってよい。
【０１０６】
図７ａを参照すると、バックカバー１１０の延性領域ＭＡは、第１支持領域ＰＡ１と固定領域ＦＡとの間の第１延性領域ＭＡ１及び固定領域ＦＡと第２支持領域ＰＡ２との間の第２延性領域ＭＡ２を含む。
【０１０７】
第１延性領域ＭＡ１は、固定領域ＦＡからバックカバー１１０の上側に延長した領域である。第１延性領域ＭＡ１は、複数の開口部が配置され、表示パネル１２０が付着する領域である。
【０１０８】
第２延性領域ＭＡ２は、固定領域ＦＡからバックカバー１１０の下側に延長した領域である。第２延性領域ＭＡ２には、複数の開口部１１１が配置されるが、表示パネル１２０は配置されない。第２延性領域ＭＡ２は、表示パネル１２０の表示領域ＡＡがハウジング部ＨＰの外部に配置できるように延長した領域である。例えば、バックカバー１１０及び表示パネル１２０がフルアンワインディングされた状態の時、ローラ１５１に固定されたバックカバー１１０の第２支持領域ＰＡ２からフレキシブルフィルム１３０及び印刷回路基板１４０が付着した固定領域ＦＡまではハウジング部ＨＰの内部に配置でき、表示パネル１２０が付着した第１延性領域ＭＡ１及び第１支持領域ＰＡ１は、ハウジング部ＨＰの外部に配置できる。この時、ローラ１５１に固定された第２支持領域ＰＡ２から第２延性領域ＭＡ２及び固定領域ＦＡの長さが、第２支持領域ＰＡ２からハウジング部ＨＰの開口部ＨＰＯまでの長さより小さければ、表示パネル１２０が付着した第１延性領域ＭＡ１の一部をハウジング部ＨＰの内部に配置できる。表示パネル１２０の表示領域ＡＡの下端の一部分がハウジング部ＨＰの内部に配置されるので、映像視聴が難しいことがある。従って、ローラ１５１に固定された第２支持領域ＰＡ２から第２延性領域ＭＡ２及び固定領域ＦＡの長さを、ローラ１５１に固定された第２支持領域ＰＡ２からハウジング部ＨＰの開口部ＨＰＯまでの長さと同一に設計できる。
【０１０９】
＜ベースプレートとトップカバーの締結構造＞
図８ａは、本発明の一実施例による表示装置の分解斜視図であり、図８ｂは、本発明の一実施例による表示装置の締結構造の断面図である。図８ａ及び図８ｂを参照すると、本発明の一実施例による表示装置１００は、ベースプレート１７０及びトップカバー１８０を含む。ベースプレート１７０は、バックカバー１１０を支持するようにバックカバー１１０の一面の一部に配置され、トップカバー１８０は、ベースプレート１７０及びベースプレート１７０の間にバックカバー１１０が介在するように、バックカバー１１０の他面の一部に配置され、バックカバー１１０と固定して構成される。具体的には、ベースプレート１７０は、バックカバー１１０の背面に配置されバックカバー１１０を支持し、トップカバー１８０は、バックカバー１１０の上側に配置され、ベースプレート１７０との締結を通じてバックカバー１１０を固定する。ベースプレート１７０とトップカバー１８０との間には、バックカバー１１０とフレキシブルフィルム１３０及び印刷回路基板１４０を配置する。
【０１１０】
図８ａ及び図８ｂを参照すると、ベースプレート１７０は、バックカバー１１０の背面に配置され、トップカバー１８０との締結を通じてバックカバー１１０上に配置されたフレキシブルフィルム１３０と印刷回路基板１４０が器具的に動かないようにする。具体的には、ベースプレート１７０は、バックカバー１１０の固定領域ＦＡの複数の固定孔１１２に対応する位置に配置された複数の結合孔１７１を含む。そこで、複数の固定部材ＦＭがベースプレート１７０の複数の結合孔１７１及びバックカバー１１０の固定領域ＦＡの複数の固定孔１１２を通過することで、ベースプレート１７０とトップカバー１８０が締結されることができる。ベースプレート１７０が導電物質で形成される場合、フレキシブルフィルム１３０及び印刷回路基板１４０に干渉現象を起こし得る。従って、ベースプレート１７０は、絶縁物質で形成され得るが、これに制限されるものではない。
【０１１１】
トップカバー１８０は、外周面が曲面状に形成される。具体的には、トップカバー１８０は、バックカバー１１０が巻かれる形状を追従するように外周面が曲面状に形成されるが、この時、バックカバー１１０の曲面が有する曲率は、ローラ１５１の曲率と同一にできる。即ち、トップカバー１８０は、表示装置１００がワインディングされる時に、ローラ１５１の平面部に配置されるが、トップカバー１８０がローラ１５１の平面部に配置された時、その形状が実質的に円形になるようにローラ１５１と実質的に同一の曲率を有する外周面を持つように形成できる。
【０１１２】
トップカバー１８０は、バックカバー１１０の固定領域ＦＡの複数の固定孔１１２に対応する位置に配置される複数の結合孔１８１を含む。そこで、複数の固定部材ＦＭがベースプレート１７０の複数の結合孔１７１及びバックカバー１１０の固定領域ＦＡの複数の固定孔１１２を通過することで、ベースプレート１７０とトップカバー１８０とを締結できる。トップカバー１８０は、導電物質で形成される場合、フレキシブルフィルム１３０及び印刷回路基板１４０に干渉現象を起こし得る。従って、バックカバー１１０は、絶縁物質で形成できるが、これに制限されるものではない。
【０１１３】
ベースプレート１７０とトップカバー１８０とは、複数の固定部材ＦＭが互いに異なる方向から挿入される両方向締結方式で締結できる。具体的には、複数の固定部材ＦＭは、ベースプレート１７０の複数の結合孔１７１を貫通する複数の第１固定部材ＦＭ１及びトップカバー１８０の複数の結合孔１８１を貫通する複数の第２固定部材ＦＭ２を含む。そこで、第１固定部材ＦＭ１は、ベースプレート１７０の複数の結合孔１７１からトップカバー１８０に向かう方向に挿入され、第２固定部材ＦＭ２は、トップカバー１８０の複数の結合孔１８１からベースプレート１７０に向かう方向に挿入されて互いに締結でき、複数の固定部材ＦＭはベースプレート１７０、トップカバー１８０及びバックカバー１１０を締結して固定することができる。ベースプレート１７０とトップカバー１８０を締結する複数の固定部材ＦＭは、例えば、スクリュー、ボルト、ナットなどであってよいが、これに制限されない。
【０１１４】
＜バックカバー及び表示パネルのワインディング過程＞
図９ａ〜図９ｃは、本発明の一実施例による表示装置の断面図である。具体的には、図９ａは、ローラ１５１にバックカバー１１０及び表示パネル１２０がフルアンワインディングされた状態の断面図であり、図９ｂは、ローラ１５１にバックカバー１１０の第２支持領域ＰＡ２、第２延性領域ＭＡ２及び固定領域ＦＡがワインディングされた状態の断面図であり、図９ｃは、ローラ１５１にバックカバー１１０の第２支持領域ＰＡ２、第２延性領域ＭＡ２、固定領域ＦＡ及び第１延性領域ＭＡ１がワインディングされた状態の断面図である。
【０１１５】
図９ａを参照すると、ローラ１５１は全体的には円筒状であるが、一部分は平面に形成できる。即ち、ローラ１５１の外周面の一部分は平坦に形成され、外周面の残りの部分は曲面で形成される。
【０１１６】
ローラ１５１の平面部分に第２支持領域ＰＡ２が締結される。ローラ１５１に締結された第２支持領域ＰＡ２を除いて、第２支持領域ＰＡ２から延長したバックカバー１１０の残りの部分を平坦に形成できる。
【０１１７】
固定領域ＦＡの背面にベースプレート１７０が配置され、固定領域ＦＡに配置されたフレキシブルフィルム１３０及び印刷回路基板１４０上には、トップカバー１８０が配置される。トップカバー１８０は、フレキシブルフィルム１３０及び印刷回路基板１４０を覆うように配置され、凸状でなることができる。トップカバー１８０は、印刷回路基板１４０及びフレキシブルフィルム１３０を保護でき、樹脂などのような絶縁物質から形成され得るが、これに制限されない。
【０１１８】
一方、図８ａ及び図８ｂで上述したように、バックカバー１１０がフルアンワインディングされた状態の時に、バックカバー１１０の第２延性領域ＭＡ２及び固定領域ＦＡをハウジング部ＨＰの内部に配置し、第１延性領域ＭＡ１をハウジング部ＨＰの外部に配置できる。
【０１１９】
次いで、図９ｂを参照すると、ローラ１５１にバックカバー１１０の第２支持領域ＰＡ２、第２延性領域ＭＡ２及び固定領域ＦＡがワインディングされた状態であり、固定領域ＦＡから延長した第１延性領域ＭＡ１はアンワインディングされた状態である。
【０１２０】
ローラ１５１の外周面のうち平面部分には、第２支持領域ＰＡ２及び固定領域ＦＡを配置し、曲面部分には第２延性領域ＭＡ２を配置する。
【０１２１】
印刷回路基板１４０及びフレキシブルフィルム１３０が付着した固定領域ＦＡは、ローラ１５１の平面部分にワインディングされるので、固定領域ＦＡと固定領域ＦＡの印刷回路基板１４０及びフレキシブルフィルム１３０は屈曲せず平坦な状態を維持できる。従って、表示部ＤＰがワインディングまたはアンワインディングされることと関係なく、フレキシブルフィルム１３０及び印刷回路基板１４０を常に平坦に維持でき、フレキシブルフィルム１３０及び印刷回路基板１４０が曲がることによる損傷を防止できる。
【０１２２】
次に、図９ｃを参照すると、ローラ１５１にバックカバー１１０の第２支持領域ＰＡ２、第２延性領域ＭＡ２及び固定領域ＦＡがワインディングされ、第１延性領域ＭＡ１の一部分がさらにワインディングされた状態にある。
【０１２３】
第１延性領域ＭＡ１の一部分は、ローラ１５１の曲面部分に重畳するようにワインディングされ得る。即ち、ローラ１５１の曲面部分にワインディングされた第２延性領域ＭＡ２上にワインディングされた第１延性領域ＭＡ１の一部分は、ローラ１５１の曲面に沿って屈曲できる。
【０１２４】
第１延性領域ＭＡ１の他の一部分は、ローラ１５１の平面部分に重畳するようにワインディングされ得る。ローラ１５１の平面部分にワインディングされた第２支持領域ＰＡ２及び固定領域ＦＡ上にワインディングされた第１延性領域ＭＡ１の他の一部分は、第１延性領域ＭＡ１の一部分と同様、屈曲できる。
【０１２５】
具体的には、第１延性領域ＭＡ１は、固定領域ＦＡを覆うようにローラ１５１にワインディングされ得る。この時、第１延性領域ＭＡ１と固定領域ＦＡとの間にトップカバーを配置できる。従って、第１延性領域ＭＡ１は、固定領域ＦＡのトップカバーを覆うようにワインディングされ、トップカバーの形状に沿って屈曲できる。トップカバーは曲面を有するので、第１延性領域ＭＡ１も曲面に沿って曲がることができる。特に、トップカバーの上面の曲面状はローラ１５１に対応する形状を有するので、ローラ１５１にワインディングされた第１延性領域ＭＡ１の断面は実質的に円状を有し得る。
【０１２６】
本発明の他の実施例による表示装置１００では、固定領域ＦＡによって表示部ＤＰがフルアンワインディングされた状態の時にバックカバー１１０を平坦に維持でき、剛性を確保できる。表示部ＤＰがフルアンワインディングされた状態の場合、固定領域ＦＡは、表示パネル１２０を平坦に維持できる。固定領域ＦＡは、複数の開口部１１１が形成された複数の延性領域ＭＡと比べて高い剛性を持ち得るので、フルアンワインディング状態で表示パネル１２０を平坦な状態に維持できる。また、固定領域ＦＡは、表示部ＤＰの外側で衝撃に対して高い耐衝撃性を持ち得るので、バックカバー１１０とバックカバー１１０に付着した表示パネル１２０を保護できる。
【０１２７】
また、本発明の他の実施例による表示装置では、固定領域ＦＡが常に平坦な状態を維持し、固定領域ＦＡに付着したフレキシブルフィルム１３０及び印刷回路基板１４０の損傷を最小化できる。固定領域ＦＡは、フレキシブルフィルム１３０及び印刷回路基板１４０が付着する領域で、常に平坦な状態を維持できる。そこで、固定領域ＦＡは、常に平坦な状態を維持できるので、固定領域ＦＡと同様に、複数の開口部１１１を形成する必要のない領域とできる。具体的には、バックカバー１１０をローラ１５１にワインディングする時に、バックカバー１１０は、ローラ１５１の形状に沿って曲がりながらワインディングされ得る。そこで、本発明の他の実施例による表示装置では、固定領域ＦＡがワインディングされるローラ１５１の一部分を平面状に形成して固定領域ＦＡをローラ１５１に平坦にワインディングできる。固定領域ＦＡは、ローラ１５１にワインディングされるにもかかわらず、常に平坦な状態を維持できるので、固定領域ＦＡに取り付けられたフレキシブルフィルム１３０及び印刷回路基板１４０も常に平坦な状態を維持することができる。例えば、表示部ＤＰがフルアンワインディングされた状態の場合、フレキシブルフィルム１３０及び印刷回路基板１４０を、高い剛性を持つ固定領域ＦＡによって平坦に維持できる。反対に、表示部ＤＰがフルワインディングされた状態の場合であっても、フレキシブルフィルム１３０及び印刷回路基板１４０を、ローラ１５１の平面部分に安着するので、平坦に維持され得る。従って、本発明の他の実施例による表示装置では、フレキシブルフィルム１３０及び印刷回路基板１４０は屈曲を繰り返さないように形成できるので、フレキシブルフィルム１３０及び印刷回路基板１４０の損傷を最小化できる。
【０１２８】
また、本発明の一実施例による表示装置１００では、フレキシブルフィルム１３０及び印刷回路基板１４０をベースプレート１７０及びトップカバー１８０を使用してバックカバー１１０に固く固定することで、フレキシブルフィルム１３０と印刷回路基板１４０を保護できる。表示装置１００を繰り返してワインディング及びアンワインディングする場合、フレキシブルフィルム１３０にせん断力が発生してフレキシブルフィルム１３０が断線、損傷することがある。印刷回路基板１４０も同様である。そこで、本発明の一実施例による表示装置１００では、ベースプレート１７０とトップカバー１８０との間にフレキシブルフィルム１３０及び印刷回路基板１４０を配置し、ベースプレート１７０とトップカバー１８０とを複数の固定部材ＦＭを使用して固く締結し、フレキシブルフィルム１３０及び印刷回路基板１４０を器具的に動かないように固定できる。そこで、フレキシブルフィルム１３０及び印刷回路基板１４０がワインディング及びアンワインディングを繰り返すことで生じる損傷を抑制できる。
【０１２９】
また、本発明の一実施例による表示装置１００では、トップカバー１８０の上面は曲面を有するので、バックカバー１１０の第１延性領域ＭＡ１も曲面に沿って屈曲できる。特に、トップカバー１８０の上面の曲面は、ローラ１５１に対応する形状を有するので、ローラ１５１にワインディングされた第１延性領域ＭＡ１の断面は実質的に円状を有し得る。そこで、本発明の一実施例による表示装置１００のようなトップカバー１８０を使用しない場合と比べて、ワインディング及びアンワインディングを繰り返す過程でフレキシブルフィルム１３０及び印刷回路基板１４０上にバックカバー１１０を接触するように配置し、フレキシブルフィルム１３０の駆動ＩＣ、印刷回路基板１４０の駆動ＩＣなどが損傷する現象、表示パネル１２０とバックカバー１１０が剥離する現象の発生を最小化できる。
【０１３０】
＜表示装置の結合構造−ボトムカバーの追加＞
図１０は、本発明の他の実施例による表示装置の分解斜視図である。図１０の表示装置１０００は、図１ａ〜図９ｃの表示装置１００と比べて、固定部材及びベースプレート１０７０の構造が異なり、ボトムカバー１９０の構成のみが追加されただけで、他の構成は実質的に同一であるので、重複説明は省略する。
【０１３１】
図１０を参照すると、ベースプレート１０７０には、トップカバー１８０に向かって突出形成された複数の固定突起１０７１が配置される。複数の固定突起１０７１を、バックカバー１１０の固定領域ＦＡの複数の固定孔１１２に対応する位置に配置できる。即ち、複数の固定突起１０７１を、バックカバー１１０の固定領域ＦＡの複数の固定孔１１２を貫通して配置することで、最終構造でバックカバー１１０の揺動を防止できる。
【０１３２】
複数の固定突起１０７１の内部には、複数の固定部材ＦＭが締結可能な構造を配置できる。例えば、複数の固定突起１０７１を、ペムナットのような構造で形成でき、例えば、複数の固定突起１０７１の内部にはねじ山を形成し、複数の固定部材ＦＭを複数の固定突起１０７１の内部のねじ山によって複数の固定突起１０７１と締結できる。
【０１３３】
バックカバー１１０とトップカバー１８０との間には、ボトムカバー１９０を配置する。ボトムカバー１９０には、一端部に沿って複数の突出部１９１を配置し、複数の突出部１９１のそれぞれの間にフレキシブルフィルム１３０を配置する。複数の突出部１９１には、複数の貫通孔１９３を形成し、ベースプレート１０７０の複数の固定突起１０７１が複数の突出部１９１の複数の貫通孔１９３を貫通することで、ボトムカバー１９０をベースプレート１０７０に固定できる。
【０１３４】
複数の突出部１９１が配置される一端部の他端部には、ボトムカバー１９０の上面から突き出して形成されるガイド部１９２を配置する。ガイド部１９２を、ボトムカバー１９０の枠の一部に沿って一定の隔離距離を持って配置し、ボトムカバー１９０上に配置される印刷回路基板１４０がボトムカバー１９０から離脱することを抑制できる。
【０１３５】
複数の固定部材ＦＭは、複数の固定突起１０７１と締結し、ベースプレート１０７０、バックカバー１１０、ボトムカバー１９０及びトップカバー１８０を固定できる。具体的には、複数の固定部材ＦＭを、トップカバー１８０の複数の結合孔１８１を貫通するように配置できる。トップカバー１８０の複数の結合孔１８１を貫通した複数の固定部材ＦＭのそれぞれは、ベースプレート１０７０の複数の固定突起１０７１と締結され、ベースプレート１０７０、ボトムカバー１９０、トップカバー１８０及びバックカバー１１０を締結して固定できる。ベースプレート１０７０とトップカバー１８０を締結する複数の固定部材ＦＭは、例えば、スクリュー、ボルトなどであってもよいが、これに制限されない。以下では、本発明の他の実施例による表示装置の締結過程に対するさらに詳しい説明のために、図１１ａ〜図１１ｈ及び図１２を共に参照する。
【０１３６】
＜表示装置の締結過程＞
図１１ａ〜図１１ｈは、本発明の他の実施例による表示装置の締結過程を説明するための斜視図である。図１２は、図１１ｈのＸＩＩ−ＸＩＩ’に沿った断面図である。具体的には、図１１ａは、本発明の他の実施例による表示装置のベースプレートとバックカバーが結合した断面図であり、図１１ｂは、図１１ａのＢ領域の拡大図であり、図１１ｃは、本発明の他の実施例による表示装置のバックカバーにボトムカバーが配置された断面図であり、図１１ｄは、図１１ｃのＣ領域の拡大図であり、図１１ｅは、本発明の他の実施例による表示装置のバックカバーにフレキシブルフィルム、印刷回路基板及び表示パネルが配置された断面図であり、図１１ｆは、図１１ｅのＤ領域の拡大図であり、図１１ｇは、本発明の他の実施例による表示装置のバックカバーにトップカバーが結合された断面図であり、図１１ｈは、図１１ｇのＥ領域の拡大図である。
【０１３７】
先ず、図１１ａ及び図１１ｂを参照すると、バックカバー１１０とベースプレート１０７０が結合する。具体的には、バックカバー１１０の固定領域ＦＡの背面にベースプレート１０７０を配置して、ベースプレート１０７０の複数の固定突起１０７１がバックカバー１１０の固定領域ＦＡの複数の固定孔１１２を通過することで、バックカバー１１０とベースプレート１０７０とが結合する。ベースプレート１０７０の複数の固定突起１０７１は、バックカバー１１０上に突き出すことができる。この時、複数の固定突起１０７１及び複数の固定孔１１２の数は、フレキシブルフィルム１３０の数によって決定できる。即ち、複数の固定突起１０７１のうち固定領域ＦＡの上端に位置した複数の固定突起１０７１の間にフレキシブルフィルム１３０を配置するので、固定領域ＦＡの上端に位置した複数の固定突起１０７１の個数は、フレキシブルフィルム１３０の数より多くできる。
【０１３８】
次いで、図１１ｃ及び図１１ｄを参照すると、ベースプレート１０７０を結合したバックカバー１１０上にボトムカバー１９０を配置する。具体的には、バックカバー１１０上に突き出したベースプレート１０７０の複数の固定突起１０７１とボトムカバー１９０の突出部１９１の複数の貫通孔１９３とを結合することで、ボトムカバー１９０をベースプレート１０７０の複数の固定突起１０７１が固定できる。即ち、ボトムカバー１９０の突出部１９１の複数の貫通孔１９３に対応するように複数の固定突起１０７１を挿入して、ベースプレート１０７０とボトムカバー１９０を固定できる。
【０１３９】
次に、図１１ｅ及び図１１ｆを参照すると、バックカバー１１０上に表示パネル１２０を配置し、バックカバー１１０上に配置されたボトムカバー１９０上にフレキシブルフィルム１３０と印刷回路基板１４０を配置する。フレキシブルフィルム１３０は、ボトムカバー１９０の突出部１９１のそれぞれの間に配置され、表示装置１０００がワインディングまたはアンワインディングされる時にフレキシブルフィルム１３０と印刷回路基板１４０が揺動を防止することができる。また、フレキシブルフィルム１３０と印刷回路基板１４０を、ボトムカバー１９０の突出部１９１とガイド部１９２との間に配置し、表示装置１０００がワインディングまたはアンワインディングされる時に、ボトムカバー１９０からの離脱を防止できる。
【０１４０】
次いで、図１１ｇ及び図１１ｈを参照すると、表示パネル１２０、フレキシブルフィルム１３０及び印刷回路基板１４０を配置したボトムカバー１９０上にトップカバー１８０を配置して固定する。具体的には、ベースプレート１０７０の複数の固定突起１０７１は、バックカバー１１０の固定領域ＦＡの複数の固定孔１１２とボトムカバー１９０の突出部１９１の複数の貫通孔１９３を貫通してバックカバー１１０とボトムカバー１９０を固定し、これをトップカバー１８０で覆うことで、トップカバー１８０とベースプレート１０７０とを締結する。この時、トップカバー１８０の複数の結合孔１８１を通じて複数の固定部材ＦＭを挿入し、複数の固定部材ＦＭがベースプレート１０７０の複数の固定突起１０７１と結合して、トップカバー１８０、バックカバー１１０、ボトムカバー１９０及びベースプレート１０７０を固定し、ボトムカバー１９０とトップカバー１８０との間の表示パネル１２０、フレキシブルフィルム１３０及び印刷回路基板１４０も固定できる。
【０１４１】
締結構造に対するさらに詳しい説明のために図１２を参照すると、本実施例による表示装置１０００は、両方向締結方式ではなく、単方向締結方式で締結され得る。具体的には、本発明の他の実施例による表示装置１０００では、ベースプレート１０７０に複数の固定突起１０７１を配置することで、ベースプレート１０７０の複数の固定突起１０７１にバックカバー１１０の固定領域ＦＡの複数の固定孔１１２及びボトムカバー１９０の複数の貫通孔１９３を貫通し、トップカバー１８０に固定部材ＦＭを挿入して、複数の固定突起１０７１と固定部材ＦＭとを締結する単方向締結方式で締結できる。そこで、本発明の他の実施例による表示装置１０００では、両方向締結方式ではなく単方向締結方式を使用して、より容易にベースプレート１０７０、バックカバー１１０、ボトムカバー１９０及びトップカバー１８０を複数の固定部材ＦＭを使って固定できる。また、ベースプレート１０７０を通じてバックカバー１１０の背面からトップカバー１８０までより固く締結されて、表示装置１０００をワインディングしアンワインディングする時に、表示パネル１２０がバックカバー１１０から剥離する現象を改善できる。
【０１４２】
＜パッド−表示装置の堅固な固定＞
図１３は、また他の実施例による表示装置の断面図である。図１３の表示装置１３００は、図１０〜図１２の表示装置１０００と比べて、パッドＰのみが追加されただけで、他の構成は実質的に同一であるので、重複説明は省略する。
【０１４３】
図１３を参照すると、パッドＰは、ベースプレート１０７０とトップカバー１８０との間に配置された表示パネル１２０の一面の一部に配置され得る。即ち、パッドＰは、表示パネル１２０とトップカバー１８０との間で固定領域ＦＡが延長する方向と同一の方向に延長するように配置できる。この時、パッドＰは、単一のパッドＰで構成されてもよく、複数のパッドＰで構成されてもよい。
【０１４４】
パッドＰは、ベースプレート１０７０とトップカバー１８０の締結過程で発生する圧力を吸収して、表示パネル１２０を圧力から保護すると同時に、表示パネル１２０を強く固定できる材質から形成できる。そこで、パッドＰは、トップカバー１８０より延性を持つ絶縁物質から形成でき、例えば、シリコーンなどのような樹脂で形成できる。
【０１４５】
本発明のまた他の実施例による表示装置１３００では、パッドＰによって表示パネル１２０をより堅固に、かつ安全に固定できる。トップカバー１８０とベースプレート１０７０が固定された状態でトップカバー１８０と表示パネル１２０が離隔する場合、表示パネル１２０は堅固に固定されず、表示装置１３００をワインディングしたりアンワインディングする過程で表示パネル１２０がバックカバー１１０から剥離し得る。また、剛性を持ったトップカバー１８０による衝撃や圧力が表示パネル１２０にそのまま伝達される場合、表示パネル１２０が損傷することもある。そこで、本発明のまた他の実施例による表示装置１３００では、パッドＰがトップカバー１８０による衝撃や圧力を吸収して表示パネル１２０を保護することができ、パッドＰがトップカバー１８０と表示パネル１２０との間の空間を充填して、表示パネル１２０をより堅固に固定できる。また、表示装置１３００の巻取り状態時、表示パネル１２０がバックカバー１１０から剥離する現象もさらに効果的に改善できる。
【０１４６】
＜バックカバーの結合＞
図１４は、本発明のまた他の実施例による表示装置のバックカバーの平面図である。図１５ａ及び図１５ｂは、本発明のまた他の実施例による表示装置の締結過程を説明するための斜視図である。図１６は、本発明のまた他の実施例による表示装置の断面図である。図１４〜図１６の表示装置１４００は、図１〜図９ｃの表示装置１００と比べて、バックカバー１４１０の形状のみを変形し、他の構成は実質的に同一であるので、重複説明は省略する。図１４では、説明の便宜のために、表示装置１４００の多様な構成のうちバックカバー１４１０だけを図示した。
【０１４７】
図１４を参照すると、バックカバー１４１０は、第１バックカバー１４１０ａと第２バックカバー１４１０ｂで構成される。具体的には、バックカバー１４１０は、第１固定領域ＦＡ１の複数の固定孔１４１２と第２固定領域ＦＡ２の複数の固定孔１４１２を配置した間を中心とし、第１バックカバー１４１０ａと第２バックカバー１４１０ｂとに分離して構成することができる。即ち、第１バックカバー１４１０ａは、第１支持領域ＰＡ１、第１延性領域ＭＡ１及び第１固定領域ＦＡ１を含み、第２バックカバー１４１０ｂは、第２固定領域ＦＡ２、第２延性領域ＭＡ２及び第２支持領域ＰＡ２を含むことができる。そこで、第１バックカバー１４１０ａはヘッドバー１６４と締結でき、第２バックカバー１４１０ｂはローラ１５１と締結できる。
【０１４８】
図１５ａ及び図１５ｂを参照すると、第１バックカバー１４１０ａの第１固定領域ＦＡ１と第２バックカバー１４１０ｂの第２固定領域ＦＡ２は、ベースプレート１０７０の複数の固定突起１０７１によって結合する。即ち、ベースプレート１０７０の上側に配置された複数の固定突起１０７１を、第１バックカバー１４１０ａの第１固定領域ＦＡ１に配置された複数の固定孔１４１２に挿入し、ベースプレート１０７０の下側に配置された複数の固定突起１０７１を、第２バックカバー１４１０ｂの第２固定領域ＦＡ２に配置された複数の固定孔１４１２に挿入し、ベースプレート１０７０によって第１バックカバー１４１０ａと第２バックカバー１４１０ｂとを結合できる。
【０１４９】
図１６に示すように、ボトムカバー１９０、表示パネル１２０、フレキシブルフィルム１３０、印刷回路基板１４０及びトップカバー１８０が配置され、複数の固定部材ＦＭ及び複数の固定突起１０７１が締結されて第１バックカバー１４１０ａ及び第２バックカバー１４１０ｂを堅固に固定できる。
【０１５０】
本発明のまた他の実施例による表示装置１４００では、バックカバー１４１０を互いに離隔した第１バックカバー１４１０ａ及び第２バックカバー１４１０ｂで構成して、多様な表示パネル１２０の大きさに対応するようにバックカバー１４１０を形成できる。表示装置１４００が大型化されるにつれて、表示パネル１２０の大きさも大型化される。この時、バックカバー１４１０は、表示パネル１２０より大きくなければならないため、単一のバックカバー１４１０を大型で製造しなければならない。しかし、バックカバー１４１０を大型表示装置に対応するように単一で構成することは、製造工程上、非常に大きな困難がある。そこで、本発明のまた他の実施例による表示装置１４００では、バックカバー１４１０を第１バックカバー１４１０ａ及び第２バックカバー１４１０ｂで構成して、表示装置１４００より小さい大きさの第１バックカバー１４１０ａ及び第２バックカバー１４１０ｂを使用でき、第１バックカバー１４１０ａ及び第２バックカバー１４１０ｂは、ベースプレート１０７０、ボトムカバー１９０、バックカバー１４１０、トップカバー１８０及び固定部材ＦＭによって固定されるので、第１バックカバー１４１０ａ及び第２バックカバー１４１０ｂが既存のバックカバー１４１０の機能を全て行うと同時に、より小さい大きさでバックカバー１４１０を生産して生産性を向上できる。
【０１５１】
この時、第２バックカバー１４１０ｂの厚さは、第１バックカバー１４１０ａの厚さより薄くできる。第２バックカバー１４１０ｂは、ローラ１５１に直接締結される部分であるので、第２バックカバー１４１０ｂは、第１バックカバー１４１０ａに比べて先にローラ１５１にワインディングされる。そこで、第２バックカバー１４１０ｂを、相対的に小さな曲率半径でワインディングすることができ、第１バックカバー１４１０ａより多い応力を受けられる。従って、本発明のまた他の実施例による表示装置１４００では、第２バックカバー１４１０ｂの厚さを第１バックカバー１４１０ａの厚さより薄くして第２バックカバー１４１０ｂのフレキシビリティを改善することができ、表示装置１４００をワインディングし、アンワインディングする過程で第２バックカバー１４１０ｂの損傷を抑制することができる。
【０１５２】
＜フレキシブルフィルムの配置＞
図１７は、本発明のまた他の実施例による表示装置の断面図である。図１７の表示装置１７００は、図１０の表示装置１０００と比べて、フレキシブルフィルム１７３０の配置のみが変形されただけで、他の構成は実質的に同一であるので、重複説明は省略する。
【０１５３】
図１７を参照すると、フレキシブルフィルム１７３０を、トップカバー１８０に向かって凸状をなすように配置できる。即ち、フレキシブルフィルム１７３０を、一部が曲がった形態で印刷回路基板１４０及び表示パネル１２０と連結できる。フレキシブルフィルム１７３０を一部が曲がった形態で配置しても、トップカバー１８０に安定して収容され、堅固に固定できる。
【０１５４】
本発明のまた他の実施例による表示装置１７００では、フレキシブルフィルム１７３０がトップカバー１８０に向かって凸状をなすように配置され、表示装置１７００の巻取り時、フレキシブルフィルム１７３０に加えられる応力を最小化し、これによりフレキシブルフィルム１７３０の損傷を最小化できる。具体的には、表示装置１７００をワインディングする過程で、表示装置１７００のフレキシブルフィルム１７３０を、図１７に示された図面で「Ｃ」状の反対形状にフォルディングできる。この時、ベースプレート１０７０、トップカバー１８０及びボトムカバー１９０によってフレキシブルフィルム１７３０を堅固に固定できるが、ワインディング過程でフレキシブルフィルム１７３０が応力を受けることもある。そこで、本発明のまた他の実施例による表示装置１７００では、フレキシブルフィルム１７３０をトップカバー１８０に向かって凸状をなすように配置して、ワインディング過程でフレキシブルフィルム１７３０が変形可能な余裕部分を提供し、フレキシブルフィルム１７３０の損傷低減できる。
【０１５５】
本発明の実施例による表示装置は、以下のように説明することができる。本発明の一実施例による表示装置は、複数のサブ画素が定義された表示パネルと、表示パネルと共に巻取り可能に構成されるバックカバーと、バックカバーを支持するようにバックカバーの一面の一部に配置されるベースプレートと、ベースプレートとの間にバックカバーが介在するように、バックカバーの他面の一部に配置され、バックカバーに固定されるトップカバーとを含み、トップカバーは、曲面状の外周面を有し得る。
【０１５６】
本発明の他の特徴によると、表示装置は、バックカバーの複数の固定孔を通過して、ベースプレートとトップカバーを固定する複数の固定部材をさらに含むことができる。
【０１５７】
本発明のまた他の特徴によると、複数の固定部材は、ベースプレートの複数の結合孔を貫通するように配置された複数の第１固定部材と、トップカバーの複数の結合孔を貫通して複数の第１固定部材と締結される複数の第２固定部材とを含むことができる。
【０１５８】
本発明のまた他の特徴によると、表示装置は、バックカバーとトップカバーとの間に介在するボトムカバーをさらに含むことができる。
【０１５９】
本発明のまた他の特徴によると、ベースプレートは、トップカバーに向かって突き出した複数の固定突起を有し、複数の固定突起は、ボトムカバーを貫通するように構成され、ベースプレートは、トップカバーと複数の固定突起間の固定によってトップカバーに固定されるように構成され得る。
【０１６０】
本発明のまた他の特徴によると、表示装置は、ボトムカバーとトップカバーとの間に介在し、表示パネルと連結された複数のフレキシブルフィルムと、ボトムカバーとトップカバーとの間に介在し、複数のフレキシブルフィルムと連結された印刷回路基板とをさらに含み、ボトムカバーは、複数のフレキシブルフィルムを固定するための複数の突出部及び印刷回路基板を固定するためのガイド部を含むことができる。
【０１６１】
本発明のまた他の特徴によると、複数のフレキシブルフィルムは、トップカバーに向かって凸状を有するように配置され得る。
【０１６２】
本発明のまた他の特徴によると、表示装置は、トップカバーの一面に配置され、表示パネルを固定するパッドをさらに含むことができる。
【０１６３】
本発明のまた他の特徴によると、表示装置は、トップカバーの複数の結合孔を貫通して、複数の固定突起と締結される固定部材をさらに含むことができる。
本発明のまた他の特徴によると、バックカバーは、第１バックカバーと第２バックカバーで構成され、第１バックカバーと第２バックカバーは、ベースプレート及びトップカバーによって固定されることができる。
【０１６４】
本発明のまた他の特徴によると、表示装置は、第２バックカバーと締結されるローラと、第１バックカバーと締結されるヘッドバーとをさらに含み、第２バックカバーの厚さは第１バックカバーの厚さより薄くできる。
【０１６５】
本発明のまた他の特徴によると、バックカバーは、ベースプレートとトップカバーによって固定される固定領域と、固定領域から延長し、複数の開口部が配置された延性領域と、延性領域から延長する支持領域とを含み、延性領域は、固定領域の上側から延長する第１延性領域と、固定領域の下側から延長する第２延性領域とを含み、支持領域は、第１延性領域の上側から延長する第１支持領域と、第２延性領域の下側から延長する第２支持領域とを含むことができる。
【０１６６】
本発明のまた他の特徴によると、表示装置は、第２支持領域と締結され、平面部及び曲面部を含むローラをさらに含み、固定領域は、平面部に対応するように配置され得る。
【０１６７】
本発明の他の実施例による表示装置は、映像を表示するための表示パネルと、表示パネルの下に配置され、複数の固定孔が配置された固定領域を含むバックカバーと、表示パネルと電気的に連結され、固定領域に配置された印刷回路基板と、固定領域の下に配置されたベースプレートと、固定領域上で印刷回路基板上に配置されたトップカバーとを含み、ベースプレート及びトップカバーは、複数の固定孔に対応するように配置されて、バックカバーと結合できる。
【０１６８】
本発明の他の特徴によると、表示装置は、ベースプレート及びトップカバーに配置された複数の結合孔及び複数の固定孔を貫通するように介在し、ベースプレート、バックカバー及びトップカバーを固定する複数の固定部材をさらに含むことができる。
【０１６９】
本発明のまた他の特徴によると、表示装置は、トップカバーに配置された複数の結合孔及びベースプレートに配置された複数の固定突起を貫通して、ベースプレート、バックカバー及びトップカバーを固定する複数の固定部材をさらに含むことができる。
【０１７０】
本発明のまた他の特徴によると、表示装置は、バックカバーとトップカバーとの間に介在するボトムカバーをさらに含み、ボトムカバーは、複数の固定突起が貫通できる複数の貫通孔を含むことができる。
【０１７１】
本発明のまた他の特徴によると、表示装置は、表示パネルと印刷回路基板を電気的に連結する複数のフレキシブルフィルムをさらに含み、複数のフレキシブルフィルム、印刷回路基板及び表示パネルは、ベースプレート及びトップカバーによって固定され得る。
【０１７２】
本発明のまた他の特徴によると、表示装置は、表示パネルとトップカバーとの間に配置されて、表示パネルを固定するパッドをさらに含むことができる。
【０１７３】
以上、添付の図面を参照して本発明の実施例をさらに詳しく説明したが、本発明は、必ずしもこのような実施例に限られるものではなく、本発明の技術思想を逸脱しない範囲内で多様に変形実施されることができる。従って、本発明に開示された実施例は、本発明の技術思想を制限するためではなく説明するためのもので、このような実施例によって本発明の技術思想の範囲が制限されるものではない。従って、以上で記述した実施例は全ての面で例示的であり、制限的ではないと理解すべきである。本発明の保護範囲は、下記の請求の範囲によって解釈されなければならず、それと同等な範囲内にある全ての技術思想は、本発明の権利範囲に含まれると解釈されなければならない。
【図１ａ】
2020046664.tif 000003
【図１ｂ】
2020046664.tif 000004
【図２】
2020046664.tif 000005
【図３】
2020046664.tif 000006
【図４】
2020046664.tif 000007
【図５】
2020046664.tif 000008
【図６】
2020046664.tif 000009
【図７ａ】
2020046664.tif 000010
【図７ｂ】
2020046664.tif 000011
【図８ａ】
2020046664.tif 000012
【図８ｂ】
2020046664.tif 000013
【図９ａ】
2020046664.tif 000014
【図９ｂ】
2020046664.tif 000015
【図９ｃ】
2020046664.tif 000016
【図１０】
2020046664.tif 000017
【図１１ａ】
2020046664.tif 000018
【図１１ｂ】
2020046664.tif 000019
【図１１ｃ】
2020046664.tif 000020
【図１１ｄ】
2020046664.tif 000021
【図１１ｅ】
2020046664.tif 000022
【図１１ｆ】
2020046664.tif 000023
【図１１ｇ】
2020046664.tif 000024
【図１１ｈ】
2020046664.tif 000025
【図１２】
2020046664.tif 000026
【図１３】
2020046664.tif 000027
【図１４】
2020046664.tif 000028
【図１５ａ】
2020046664.tif 000029
【図１５ｂ】
2020046664.tif 000030
【図１６】
2020046664.tif 000031
【図１７】
2020046664.tif 000032